(57)【要約】【課題】遊技盤の大型化から施錠装置のスリム化が要望された。【解決手段】駆動杆30を中央として外枠作動杆31およびガラス扉作動杆32の３枚板を上下動自在に重層状に設けると共に、支持体11に設けたシリンダー錠14の操作で駆動杆30を上下動させる連動部材を設け、外枠作動杆31およびガラス扉作動杆32を施錠方向に付勢するスプリング73、74を、外枠作動杆31およびガラス扉作動杆32の間に渡って設けると共に、外枠作動杆31およびガラス扉作動杆32を開錠方向に別々に移動させる連係手段を外枠作動杆31およびガラス扉作動杆32と駆動杆30の間に設けることによって、平板状の３枚板を重層状としたり、スプリングの配置により、施錠装置10を薄形化（スリム化）する。【選択図】図５
2007301124.tif 000002
【特許請求の範囲】
【請求項１】
内枠に取り付けられる施錠装置における支持体を一対の側板および連結板から成る断面略コ字状と成し、支持体に外枠およびガラス扉に対して施錠および開錠する施錠機構を設けた遊技機における施錠装置であって、
支持体の一対の側板の間に、駆動杆を中央として外枠作動杆およびガラス扉作動杆の３枚板を上下動自在に重層状に設けると共に、
支持体に設けたシリンダー錠の操作で駆動杆を上下動させる連動部材を設け、
外枠作動杆およびガラス扉作動杆を施錠方向に付勢する付勢手段を、外枠作動杆およびガラス扉作動杆の間に渡って設けると共に、外枠作動杆およびガラス扉作動杆を開錠方向に別々に移動させる連係手段を外枠作動杆およびガラス扉作動杆と駆動杆の間に設けた
ことを特徴とする遊技機における施錠装置。
【請求項２】
駆動杆の上下方向に開口した挿通孔に付勢手段を挿通して、外枠作動杆とガラス扉作動杆の間に付勢手段を配置した
ことを特徴とする請求項１記載の遊技機における施錠装置。
【請求項３】
上下方向で短寸化した駆動杆の延長方向に付勢手段を配置して、外枠作動杆とガラス扉作動杆の間に付勢手段を配置した
ことを特徴とする請求項１又は２記載の遊技機における施錠装置。
【請求項４】
付勢手段は圧縮スプリングと成して、外枠作動杆およびガラス扉作動杆を施錠方向に付勢した
ことを特徴とする請求項１、２又は３記載の遊技機における施錠装置。
【請求項５】
外枠作動杆またはガラス扉作動杆を上下一対の分離した上下部作動杆と成した
ことを特徴とする請求項１、２、３又は４記載の遊技機における施錠装置。
【請求項６】
外枠作動杆に設けた外枠鉤またはガラス扉作動杆に設けたガラス扉鉤に外枠の係止片またはガラス扉の係止片が係合離脱する係合溝を有する係合突起を設け、外枠の係止片またはガラス扉の係止片が当接する当接摺動面を略傾斜状と成し、該当接摺動面の中途部を境にして、閉鎖時の当接前半部より係合溝側の当接後半部の傾斜角度を小さくした
ことを特徴とする請求項１、２、３、４又は５記載の遊技機における施錠装置。
【請求項７】
一対の側板および連結板から成る断面略コ字状の支持体に、外枠およびガラス扉に対して施錠および開錠する施錠機構を設けると共に、支持体の一対の側板の間に、施錠機構の外枠作動杆およびガラス扉作動杆を上下動自在に設けた遊技機の施錠装置を内枠に取り付ける取付部を備えた遊技機における施錠装置であって、
内枠の背面に接する側板の側縁から下方向の係止溝を有した係止鉤を突設した
ことを特徴とする遊技機における施錠装置。
【請求項８】
一方の側板に設けた係止鉤は一方の側板から延設状とすると共に、他方の側板に設けた係止鉤は他方の側板から直角折曲した
ことを特徴とする請求項７記載の遊技機における施錠装置。
【請求項９】
側板にシリンダー錠を取り付ける取付板を設けると共に、該取付板に固定孔を設けた
ことを特徴とする請求項７又は８記載の遊技機における施錠装置。
【請求項１０】
請求項１、２、３、４、５又は６記載の施錠機構を有した遊技機における施錠装置に、請求項７、８又は９記載の取付部を備えた
ことを特徴とする遊技機における施錠装置。
【発明の詳細な説明】
【技術分野】
【０００１】
本発明は、パチンコ遊技機における開閉可能な外枠、内枠およびガラス扉を施錠する遊技機における施錠装置に関する。
【背景技術】
【０００２】
従来、かかる遊技機における施錠装置としては、特許文献１の特開２００４−８１６８８に記載された、固定板18a （〔背景技術〕および〔発明が解決しようとする課題〕の欄に記載した符号は特許文献１に記載のもので本件出願では図示、記載せず）、側板18b およびリブ18c から成る支持体18に、外枠作動杆42とガラス扉作動杆22が重層状態で上下方向に摺動可能に設けられ、側板18b とガラス扉作動杆22などの間にロック体25、リベット26やスプリング（特許文献１では図示されるも符号、説明なし）が配置されると共に、側板18b が外側に膨出し、外枠作動杆42が上下分割された上部外枠作動杆32と下部外枠作動杆34が重層配置され、外枠作動杆42を所定方向に付勢する第１、第２コイルばねＣ１、Ｃ２の一端を掛止する第１、第２ばね掛止片18d 、18e が支持体18の固定板18a に設けられた遊技機における施錠装置が知られていた（例えば、特許文献１参照）。
【０００３】
この遊技機における施錠装置は、遊技盤14が背面に保持された前枠13の背面に支持体18の固定板18a がねじ等で固定されていた（特許文献１の〔００３４〕〜〔００３５〕参照）。
【０００４】
【特許文献１】特開２００４−８１６８８
【発明の開示】
【発明が解決しようとする課題】
【０００５】
しかしながら、上記の遊技機における施錠装置では、ガラス扉作動杆22、上部外枠作動杆32と下部外枠作動杆34が重層すると共に、側板18b が膨出し、更に、これら作動杆の側方にロック体25等や第１、第２コイルばねＣ１、Ｃ２が配置されていたため、施錠装置が部厚くなっていた。
【０００６】
又、前枠13と固定板18a の面同志の取付であったために、固定板18a は各種作動杆や第１、第２コイルばねＣ１、Ｃ２の配置スペースの他、固定ねじの配置スペースが必要で、更に、各種作動杆とリブ18c の間にスプリング取付やねじ締結の作業スペースも必要で、固定板18a が幅広となって施錠装置が部厚くなっていた。
更に、従来の施錠装置は大型であるが故に重量も重く、且つ、前枠13と固定板18a の面同志の取付であったために前枠13等のねじ孔を確認し難く、取付作業が容易でなかったり、複数のねじ締結作業に手間を要していた。
【０００７】
一方、近年、前枠13の背面に保持される遊技盤14が大型化することに応じて、施錠装置の設置スペースが減少し、施錠装置のスリム化が要望される様になってきた。
そこで、本発明は、各種作動杆やコイルばねの形状、配置を改良してスリム化を達成する一方、面同士以外の取付形態としてスリム化を図ると共に、スリム化の特徴を生かしつつ取付作業を容易化した遊技機における施錠装置を提供するものである。
【課題を解決するための手段】
【０００８】
本発明は、上記従来技術に基づく、遊技盤の大型化から施錠装置のスリム化が要望される課題に鑑み、各種作動杆の３枚板とスプリングの形状、配置と、内枠（背景技術の前枠に相当）への取付部材の形状、配置に関する２形態を工夫することによって、施錠装置のスリム化を達成した。
【０００９】
具体的には、遊技盤の大型化から施錠装置のスリム化が要望される課題に鑑み、３枚板とスプリングの配置に関して、支持体の一対の側板の間に、駆動杆を中央として外枠作動杆およびガラス扉作動杆の３枚板を上下動自在に重層状に設けると共に、支持体に設けたシリンダー錠の操作で駆動杆を上下動させる連動部材を設け、外枠作動杆およびガラス扉作動杆を施錠方向に付勢する付勢手段（スプリング）を、外枠作動杆およびガラス扉作動杆の間に渡って設けると共に、外枠作動杆およびガラス扉作動杆を開錠方向に別々に移動させる連係手段を外枠作動杆およびガラス扉作動杆と駆動杆の間に設けることによって、平板状の３枚板を重層状としたり、スプリングの配置により、施錠装置を薄形化（スリム化）する様にして、上記課題を解決する。
【００１０】
又、スリム化が要望される課題および取付作業が簡易でなく手間を要した課題に鑑み、内枠への取付部材の形状、配置に関して、一対の側板および連結板から成る断面略コ字状の支持体に、外枠およびガラス扉に対して施錠および開錠する施錠機構を設けると共に、支持体の一対の側板の間に、施錠機構の外枠作動杆およびガラス扉作動杆を上下動自在に設けた遊技機の施錠装置を内枠に取り付ける遊技機の施錠装置の取付部であって、内枠の背面に接する側板の側縁から下方向の係止溝を有した係止鉤を突設することによって、幅広な面同士の取付部材が無くて、スリム化すると共に、内枠の被係止部に係止鉤を引っ掛けるだけで、又ねじ無し、少数化で、内枠に施錠装置を取付ける様にして、上記課題を解決する。
【発明の効果】
【００１１】
要するに本発明は、支持体の一対の側板の間に、駆動杆を中央として外枠作動杆およびガラス扉作動杆の３枚板を上下動自在に重層状に設けたので、平板状の３枚板が重層状だけであるために、施錠装置を薄形化（スリム化）することが出来る。
又、支持体に設けたシリンダー錠の操作で駆動杆を上下動させる連動部材（駆動板、係止孔など）を設けたので、駆動杆に対して上下動操作するだけで、外枠作動杆およびガラス扉作動杆を開錠操作することが出来る。
又、外枠作動杆およびガラス扉作動杆を施錠方向に付勢する付勢手段（スプリング）を、外枠作動杆およびガラス扉作動杆の間に渡って設けたので、シリンダー錠の非操作時にはスプリングの作用で施錠する機能を確保することが出来ると共に、スプリングは側板に係止していないため、一対の側板の間隔は３枚板を収容する最小間隔とすることが出来、支持体の薄形化およびスプリングの配置による幅方向スペースを必要としないことにより、施錠装置をコンパクト化することが出来る。
又、外枠作動杆およびガラス扉作動杆を開錠方向に別々に移動させる連係手段（係止片、係止孔）を外枠作動杆およびガラス扉作動杆と駆動杆の間に設けたので、シリンダー錠の操作で駆動杆を介して、外枠に対する内枠の開錠または内枠に対するガラス扉の開錠を行うことが出来ると共に、重層状の駆動杆を介して連動移動させるために、薄形化を維持することが出来る。
よって、遊技盤の大型化から要請された施錠装置のコンパクト化を図ることが出来る。
【００１２】
駆動杆の上下方向に開口した挿通孔にスプリングを挿通して、或いは、上下方向で短寸化した駆動杆の延長方向にスプリングを配置して、外枠作動杆とガラス扉作動杆の間にスプリングを配置したので、スプリングの装着スペースを重層状の駆動杆の配置スペースを主体とすることにより、一対の側板の間にスプリングを装着して、幅方向および前後奥行方向に装着スペースを必要とせず、薄形に形成することが出来、又長尺ものではプレス加工に細心の注意を必要とするが、駆動杆の短寸化により、部材加工を容易化したり、軽量化を図ることが出来る。
【００１３】
スプリングは圧縮スプリングと成して、外枠作動杆およびガラス扉作動杆を施錠方向に付勢したので、３枚板の対応するスプリング座の間にスプリングを圧縮して押し込むだけで、容易にスプリングを装着することが出来る。
【００１４】
外枠作動杆またはガラス扉作動杆を上下一対の分離した上下部作動杆と成したので、スプリングで付勢された上下部作動杆のいずれか一方を開錠しても、他方は施錠されており、不正開錠防止対策を実施することが出来る。
【００１５】
外枠作動杆に設けた外枠鉤またはガラス扉作動杆に設けたガラス扉鉤に外枠の係止片またはガラス扉の係止片が係合離脱する係合溝を有する係合突起を設け、外枠の係止片またはガラス扉の係止片が当接する当接摺動面を略傾斜状と成し、該当接摺動面の中途部を境にして、閉鎖時の当接前半部より係合溝側の当接後半部の傾斜角度を小さくしたので、シリンダー錠を非操作で外枠に対して内枠を閉鎖または内枠に対してガラス扉を閉鎖する時に、外枠鉤またはガラス扉鉤と係止片の当接後半部で、面圧増加を軽減して、内枠、ガラス扉の閉鎖完了をスムーズに行うことが出来る。
【００１６】
施錠機構を設けた断面略コ字状の支持体を、内枠の背面に側板の側縁を接して取り付けたので、従来の内枠の背面に接する面状部材が無くて施錠装置のスリム化を図ることが出来ると共に、施錠装置の３枚板等の作動部が隠れるために、外部からの不正行為の防止対策向上することが出来る。
又、内枠の背面に接する側板の側縁から下方向の係止溝を有した係止鉤を突設したので、内枠の被係止部に係止鉤を引っ掛けるだけで、又ねじ無し、少数化で、内枠に施錠装置を容易に取付けることが出来たり、係止鉤が突出すると共に、内枠の背面の被係止部が隠れず、位置合わせを容易に行うことが出来る。
【００１７】
一方の側板に設けた係止鉤は一方の側板から延設状とすると共に、他方の側板に設けた係止鉤は他方の側板から直角折曲したので、２方向で係止し、取付状態を安定化することが出来、又直角折曲しても単純な引っ掛け作業で作業スペースが不要のため、側板からの突出量が少量でスリム化への影響を最小限とすることが出来る。
【００１８】
側板にシリンダー錠を取り付ける取付板を設けると共に、該取付板に固定孔を設けたので、係止鉤に加えてネジ固定を併用することにより、固定状態を更に堅固にすることが出来、又取付板は側板の外側に位置するため、作業スペース確保が特に必要でなく、スリム化への影響を最小限とすることが出来る。
【００１９】
請求項１０に係る発明では、スリム化の２要素である請求項１〜６記載の施錠機構と請求項７〜９記載の取付部の両者を備えたので、２要素の相乗効果でスリム化を更に達成することが出来、更に請求項１〜９記載の各種効果を複合化することが出来る等その実用的効果甚だ大である。
【００２０】
以下、実施形態に特有の効果を説明する。
外枠作動杆およびガラス扉作動杆にスプリング座を設けると共に、該スプリング座に隣接して受入孔を開口することにより、スプリングの装着スペースを駆動杆の配置スペースより拡大するため、付勢力が増大する大径のスプリングを装着することが出来る。
又、上記構成において、スプリングの対応位置で側板に膨出部を上下方向に設けることにより、スプリングの装着スペースを３枚板の外側にも拡大ため、スプリングの大径化を更に図ることが出来る。
【発明を実施するための最良の形態】
【００２１】
以下、本発明の一実施形態を図面に基づいて説明する。
図１に示す様に、パチンコ遊技機１は、縦長四角枠状の外枠２の前面側に、遊技盤３が取付けられた内枠４およびガラス扉５が、一側部の枢着部６および他側部の施錠部７により、回動開閉自在、施開錠自在に取着されている。
施錠部７の施錠装置10は縦長で断面略コ字状の支持体11内に施錠機構の各種作動体が運動自在に収納されると共に、支持体11から複数の係止部13、13a …が突設され、又支持体11にシリンダー錠14が設けられると共に、施錠機構の複数の鉤係合部15、15a …が前面側（ガラス扉５側）および背面側（外枠２側）に突設されている。
図２に示す様に、略コ字状の支持体11の開口16が内枠４の背面側に対向する様に、内枠４の他側部の背面側に施錠装置10が係止部13、13a …等で取付けられている。
【００２２】
以下、遊技盤３への施錠装置10の取付構造について詳述する。
施錠装置10が内枠４に取付けられた状態における支持体11の拡大平面図を図２（ａ）に示し、施錠装置10の支持体11の背面図を図８（ａ）に示し、その側面図を図８（ｂ）に示している。
図２（ａ）等に示す様に、全体が縦長略コ字状の支持体11は、矩形板を平行一対の側板17、17a と薄形の連結板18に折曲形成したものであり、一方の側板17の上方部および中途部に９０度折曲すると共に、内側に下方開口の係止溝19を有する様に、係止鉤20、20a （係止部13、13a …の一部）を突設（図９（ａ）参照）し、一方の側板17の下方部に９０度折曲した取付板21を設けている。
取付板21にシリンダー錠14の取付孔22を設けると共に、好ましい形態として、取付板21に固定孔23、23a （係止部13、13a …の一部）を設けている。
又、他方の側板17a の上方部および下方部に側板17a から延設状態で、内側に下方開口の係止溝24を有する様に、係止鉤25、25a （係止部13、13a …の一部）を突設（図９（ｂ）参照）している。
【００２３】
そして、図２に示す様に、内枠４の背面側に、支持体11における側板17、17a の開口16側の側縁を接触させると共に、側板17の係止鉤20、20a および取付板21を接面させる。
同時に、内枠４に設けた係止孔27（被係止部26、26a …の一部）に側板17a の係止鉤25、25a （係止部13、13a …の一部）を挿入すると共に、内枠４の背面側に突設した係止片28（被係止部26、26a …の一部）に側板17の係止鉤20、20a （係止部13、13a …の一部）を位置合わせし、施錠装置10の支持体11を降下させて係止孔27に係止鉤25、25a を、係止片28に係止鉤20、20a を係止する。
尚、必要に応じて、或いは、好ましくは、取付板21に設けた固定孔23、23a にビス（図示せず）を挿通して、内枠４に施錠装置10をネジ固定する。
又、図２の取付状態の説明では施錠装置10として支持体11だけを図示したが、支持体11に施錠機構を事前に取付けた施錠装置10を内枠４に取付けるものである（図１（ｂ）参照）。
【００２４】
次に、施錠装置10の施錠機構について説明する。
図４〜６に示す様に、施錠装置10の支持体11内に収納された施錠機構の各種作動体の主要部は、３枚（３組）の縦長板状の駆動杆30、シリンダー錠14側配置の外枠作動杆31（上下一対の上下部外枠作動杆31a 、31b は後述する）および反対側のガラス扉作動杆32であり、これらの３枚板は支持体11の側板17、17a の間に重層状で上下動自在に収納されている。
そして、３枚板の駆動杆30、外枠作動杆31およびガラス扉作動杆32は、シリンダー錠14の開錠、施錠操作により、別々に、或いは、連動して、関連付けて上下動するものであり、以下、支持体11から突出した鉤係合部15、15a …を含めて説明する。
尚、図３に示し作用は後述する様に、外枠作動杆31は開錠時に下方移動し、ガラス扉作動杆32は上方移動するものであるが、逆方向移動としても良く、又駆動杆30を中央として３枚板が重層状であれば、左右板を逆配置としても良い。
【００２５】
図６に示す様に、支持体11の取付板21の取付孔22に取付フランジ33を有するシリンダー錠14を挿通して取付けると共に、シリンダー錠14の錠軸34に１対の舌片を有した略Ｖ字状カム板の駆動板35を取付け、一対の舌片を対外枠用の第１駆動片36と対ガラス扉用の第２駆動片37と夫々成し、両者に前後方向で段差を設けている。
図６、８に示す様に、支持体11の一方の側板17の下方部に前後方向段差部を有した挿通孔38を上下方向に開口すると共に、その下方部に下方向に係止孔39を開口し、又支持体11の連結板18の上方部および下方部に上下方向に通過孔40、40a を開口し、更に、支持体11の他方の側板17a の下方部に前後方向段差部を有した逃げ孔41、41a を上下方向に開口している。
【００２６】
図６、７に示す様に、支持体11の側板17に面して外枠２に対して施開錠する外枠作動杆31は上下一対の独立した上下部外枠作動杆31a 、31b に分離されており、後述する様に、開錠時には駆動杆30の移動により上下分離した上下部外枠作動杆31a 、31b は同時に同方向（開錠方向）に連動移動して、駆動杆30と上下部外枠作動杆31a 、31b で、所謂、３分割杆を構成している。
一方、不正開錠時には上下分離した上下部外枠作動杆31a 、31b は両者が独立すると共に、駆動杆30に対しても独立しており、且つ、駆動杆30の逆方向移動には上下部外枠作動杆31a 、31b は連動移動しない。
よって、駆動杆30と上下部外枠作動杆31a 、31b は多様な連動性を有した３分割杆を構成している。
【００２７】
縦長矩形板状の下部外枠作動杆31a の中途部下方に前後方向段差部を有した挿通孔43を上下方向に開口すると共に、該挿通孔43の近傍に上下方向に係止孔44を設けており、図示のものでは挿通孔43と係止孔44を一体開口としている。
又、下部外枠作動杆31a の中途部上方にガラス扉作動杆32側（駆動杆30側）に切り曲げると共に、下方に延びる様にスプリング座45を設け、更に、該スプリング座45の切り曲げによる開口を含みスプリング座45に隣設して下方部に受入孔46を開口している。
下部外枠作動杆31a の下端に一方の側板17側に折曲した係止片47を突設しており、その折曲高さは係止片47が係止孔39に挿入される側板17の厚さと同等か若干高く設定し（後述する各種係止片も同様）、又下部外枠作動杆31a の下方部に後方側（取付時の外枠２側）に延設して鉤係合部15、15a …となる外枠鉤48を突設している。
【００２８】
図９（ｃ）に示す様に、外枠鉤48は、下部外枠作動杆31a から延設状態（同一面状）に突起板49を突設して成り、下部外枠作動杆31a の縁部との間で上方向に係合溝50を開口する様に、係合突起51を上方に延びる様に設けており、係合溝50に外枠２の係止片2a、2b（図３参照）が係合離脱する様にしている。
又、係合溝50の開口端から係合突起51の突出先端までの係合突起51の上面を略傾斜状と成して、外枠２の係止片2a、2bの当接摺動面52を形成し、更に、該当接摺動面52における突出先端から中途部までの間の当接前半部52a を傾斜面と成すと共に、中途部から係合溝50の開口端の間の当接後半部52b を湾曲面と成している。
尚、当接後半部52b の終端と係合溝50の開口端の角部は円弧状（Ｒ面）に面取りしている。
【００２９】
図６、７に示す様に、上部外枠作動杆31b は縦長矩形板状であり、該上部外枠作動杆31b の中途部にガラス扉作動杆32側（駆動杆30側）に切り曲げると共に、下方に延びる様にスプリング座45a を設け、更に、該スプリング座45a の切り曲げによる開口を含みスプリング座45a に隣接して下方部に受入孔46a を開口している。
又、上部外枠作動杆31b の下方部に矩形状の係止孔53を開口すると共に、上部外枠作動杆31b の中途部に後方側に延設して鉤係合部15、15a …となる外枠鉤48a （下部外枠作動杆31a の外枠鉤48と同一形状）を突設している。
【００３０】
重層する３枚板の中央の駆動杆30は縦長矩形状であり、駆動杆30の下方部に前後上下方向に段差を有して矩形状の一対の係止孔55、55a を開口し、該係止孔55、55a の上方で中途部下方にガラス扉作動杆32側に切り曲げた係止片56を突設し、該係止片56の切り曲げによる開口を含み係止片56に隣接した上方部に挿通孔57を開口している。
又、駆動杆30の上方部に前面側に切り曲げた係止片58を突設すると共に、駆動杆30の上下端に外枠作動杆31側およびガラス扉作動杆32側に折曲した係止片59、60を夫々突設している。
【００３１】
支持体11の他方の側板17a に面してガラス扉５に対して施開錠するガラス扉作動杆32は縦長矩形板状であり、ガラス扉作動杆32の下方部に前後方向段差部を有した挿通孔62を上下方向に開口すると共に、挿通孔62の上方に上下方向に係止孔63を開口している。
又、係止孔63の上方に駆動杆30側に切り曲げると共に、上方に延びる様にスプリング座64を設けると共に、該スプリング座64の切り曲げによる開口を含みスプリング座64に隣接した上方に受入孔65を開口している。
更に、ガラス扉作動杆32の上方部にも、下方部の係止孔63、スプリング座64および受入孔65と同様の係止孔66、スプリング座67および受入孔68を夫々設けている。
【００３２】
又、ガラス扉作動杆32の上中下部に前方側に延設して鉤係合部15、15a …となるガラス扉鉤69、69a …を突設している。
図９（ｄ）に示す様に、ガラス扉鉤69、69a …は突起板70の下方向に係合溝71を有する様に係合突起72を下方に延びる様に設けており、係合溝71にガラス扉５の係止片5a、5b…（図３参照）が係合離脱する様にしている。
又、外枠作動杆31（上下部外枠作動杆31a 、31b ）の外枠鉤48、48a における係合突起51の形状（図９（ｃ）参照）と同様に、ガラス扉作動杆32のガラス扉鉤69、69a …の下面において、ガラス扉５の係止片5a、5b…と当接する当接摺動面52（傾斜面の当接前半部52a と湾曲面の当接後半部52b ）を形成している。
【００３３】
次に、支持体11および３枚板（駆動杆30、外枠作動杆31およびガラス扉作動杆32）の組付状態を説明する。
駆動杆30、外枠作動杆31（上下部外枠作動杆31a 、31b ）およびガラス扉作動杆32は支持体11の側板17、17a 間に挿入されて重層状とすることの他、図６、７に示す様に、駆動杆30の挿通孔57に圧縮スプリング73を若干傾斜状態で上下方向に挿入し、スプリング73の上端を下部外枠作動杆31a のスプリング座45に当接係止すると共に、スプリング73の下端をガラス扉作動杆32のスプリング座64に当接係止している。
又、上方向で側板17、17a 、ガラス扉作動杆32等に比して短寸化した駆動杆30の上方部で、駆動杆30の延長方向である上部外枠作動杆31b とガラス扉作動杆32の間の間隔にスプリング74を配置し、該スプリング74の上端を上部外枠作動杆31b のスプリング座45a に当接係止すると共に、スプリング74の下端をガラス扉作動杆32のスプリング座67に当接係止している。
【００３４】
尚、スプリング73、74の配置において、スプリング73、74の上下部の一部は上下部外枠作動杆31a 、31b の受入孔46、46a やガラス扉作動杆32の受入孔65、68内に位置している（図５参照）。
又、スプリング73、74の配置は、駆動杆30に設けた挿通孔57内や、短寸化した駆動杆30の上方向に設けた例を示したが、スリム化の１要素としてのスプリング73、74の配置は、上下部外枠作動杆31a 、31b とガラス扉作動杆32の間に渡ってスプリング73、74を設ければ良く、例えば、駆動杆30を長くして挿通孔57を複数としたり、上下両方向に短寸化したり、駆動杆30の前後奥行方向に設けても良い。
更に、スプリング73、74は圧縮コイルスプリングの付勢力を利用したものとしているが、引張コイルスプリング、捩りバネ、トーションバネまたはゴム等の弾性付勢部材（付勢手段）とすることも可能である。
【００３５】
図６に示す様に、組付状態においては、下部外枠作動杆31a 下端の係止片47を支持体11の一方の側板17の係止孔39に挿通し、上下部外枠作動杆31a 、31b の外枠鉤48、48a を支持体11の連結板18の通過孔40、40a を挿通して突出している。
又、駆動杆30下端の係止片59を下部外枠作動杆31a の係止孔44に挿通し、駆動杆30の係止片56をガラス扉作動杆32の係止孔63に挿通すると共に、駆動杆30上方の係止片58を上部外枠作動杆31b の係止孔53に挿通し、更に、駆動杆30上端の係止片60をガラス扉作動杆32の係止孔66に挿通している。
又、支持体11の他方の側板17a に設けたピン孔75、75a …にピン76、76a …を支持体11の内部に挿通し、ガラス扉作動杆32のスライド孔77、77a …、駆動杆30のスライド孔78、78a …、上下部外枠作動杆31a 、31b のスライド孔79、79a …を貫通し、ピン76、76a …の先端を支持体11の一方の側板17に固着している。
かかる構成により、支持体11に対して３枚板を所定量上下動自在と成し、３枚板同志も駆動杆30の上下動に連動して個別に所定量上下動自在となり、上下動量は係止孔の長さで規制されている。
【００３６】
そして、シリンダー錠14に連結した駆動板35の第１駆動片36及び第２駆動片37を支持体11の一方の側板17の挿通孔38、下部外枠作動杆31a の挿通孔43に挿通し、駆動杆30の係止孔55、55a の縁部に当接直前状態で係止孔55、55a を通過させ、更に、ガラス扉作動杆32の挿通孔62を挿通し、最後に支持体11の他方の側板17a の逃げ孔41、41a に到達させている。
【００３７】
図５、６、８に示す様に、支持体11の側板17、17a には開口部や膨出部の異形部を設けており、上下方のスプリング73、74の対応位置では、側板17、17a に上下方向にスプリング73、74の巻径に対応する膨出部80、80a …を設けると共に、該膨出部80、80a …に隣接して上下方向に開口部81、81a …を設けている。
上記の膨出部80、80a …および開口部81、81a …はスプリング73、74の巻径に対応する他、駆動杆30の係止片56、60の折曲高さに対応して係止片56、60の移動と取付を容易化するために設けている。
又、支持体11の側板17における駆動杆30の係止片58の対応位置では、係止片58の移動と取付を容易化するために、側板17、17a に膨出部82を設けると共に、該膨出部82に隣接して上下方向に開口部83を設けている。
【００３８】
次に発明に係る遊技機における施錠装置の施錠、開錠操作について説明する。
施錠状態としては、スプリング73、74の付勢力で、上下部外枠作動杆31a 、31b は上方付勢されると共に、ガラス扉作動杆32は下方付勢されている。
その結果、図３に示す様に、外枠２の係止片2a、2bに上下部外枠作動杆31a 、31b の外枠鉤48、48a が係合し、ガラス扉５の係止片5a、5b…にガラス扉作動杆32のガラス扉鉤69、69a …が係合し、外枠２に対して内枠４が、内枠４に対してガラス扉５が閉鎖状態でロックされている。
【００３９】
外枠２に対して遊技盤３を設けた内枠４を開放可能とする開錠操作としては、シリンダー錠14に鍵84を差し込んで回動操作することにより、シリンダー錠14に設けた駆動板35が回動し、対外枠用の第１駆動片36が下方回動することにより、駆動杆30の上方の係止孔55の下方縁部に当接して下方押圧する。
連動して駆動杆30下端および上部の係止片58、59が上下一対の上下部外枠作動杆31a 、31b の挿通孔44、53の下方縁部に当接して上下部外枠作動杆31a 、31b を下方押圧することにより、スプリング73、74の付勢力に抗して短縮させて上下部外枠作動杆31a 、31b が下方移動して、図３の一点鎖線で示す様に、外枠２の係止片2a、2bと上下部外枠作動杆31a 、31b の外枠鉤48、48a の係合状態が開錠される。
内枠４を開放すると、外枠２の係止片2a、2bと上下部外枠作動杆31a 、31b の外枠鉤48、48a は水平方向で非係合（図示せず）となり、又シリンダー錠14の操作を終了して手を離すと、スプリング73、74の作用で、駆動杆30、上下部外枠作動杆31a 、31b などは上動して、原位置に復帰する。
【００４０】
遊技盤３を設けた内枠４に対してガラス扉５を開放可能とする開錠操作としては、シリンダー錠14の操作により、駆動板35の第２駆動片37を上方回動させ、該第２駆動片37が駆動杆30の下方の係止孔55a の上方縁部に当接して上方押圧する。
連動して駆動杆30下方部および上端の係止片56、60がガラス扉作動杆32の係止孔63、66の上方縁部に当接して上方押圧することにより、スプリング73、74の付勢力に抗して短縮させて、ガラス扉作動杆32が上方移動して、図３の一点鎖線で示す様に、ガラス扉５の係止片5a、5b…とガラス扉作動杆32のガラス扉鉤69、69a …が上下方向で係合が外れ、開錠される。
ガラス扉５を開放すると、ガラス扉５の係止片5a、5b…とガラス扉作動杆32のガラス扉鉤69、69a …は水平方向で非係合となり、又シリンダー錠14の操作を終了して手を離すと、スプリング73、74の作用で、駆動杆30、ガラス扉作動杆32などは下動して、原位置に復帰する。
【００４１】
外枠２に対する内枠４の閉鎖操作または内枠４に対するガラス扉５の閉鎖操作としては、シリンダー錠14を開錠操作して、外枠２の係止片2a、2bと上下部外枠作動杆31a 、31b の外枠鉤48、48a 、ガラス扉５の係止片5a、5b…とガラス扉作動杆32のガラス扉鉤69、69a …の係合状態を解除して、内枠４またはガラス扉５を閉鎖する操作方法の他、次の様な操作を単独で行ったり、開錠操作と併用する。
外枠２に対して内枠４を閉鎖する場合には、上下部外枠作動杆31a 、31b はスプリング73、74の作用で上動しており、内枠４を回動して閉鎖すると、外枠２の係止片2a、2bの下端に、内枠４に設けた施錠装置10の外枠鉤48、48a の当接摺動面52が水平移動して当接し、該当接摺動面52は傾斜しているために外枠鉤48、48a はスプリング73、74の弾発力に抗して下降し、係止片2a、2bは当接摺動面52を通過して係合溝50に係合し、スプリング73、74の作用で外枠鉤48、48a は上動し、内枠４の閉鎖状態がロックされる。
【００４２】
係止片2a、2bと外枠鉤48、48a の当接摺動面52の当接、摺動および外枠鉤48、48a を設けた上下部外枠作動杆31a 、31b の下降時の力関係としては、略傾斜状の当接摺動面52は中途部を境にして傾斜面の当接前半部52a と湾曲面の当接後半部52b と成していることにより、中途部の両側で面圧が変化する。
当接前半部52a の傾斜面では、水平移動量と下動量の比率は一定であると共に、外枠鉤48、48a の下降に応じてスプリング73、74の弾発力は増加し、係止片2a、2bと当接前半部52a の当接部分の面圧は上昇する。
一方、当接後半部52b の湾曲面では、水平移動量に対する下動量の比率が、当接前半部52a の傾斜面に比して徐々に低下し、弾発力の増加比率が低下して、外枠鉤48、48a は水平移動および下動する。
よって、内枠４を閉鎖する時に、係止片2a、2bに内枠４における外枠鉤48、48a の当接摺動面52が当接して、外枠鉤48、48a が水平移動および下動すると共に、スプリング73、74の弾発力が増加するが、当接摺動面52の中途部を境にして、当接後半部52b の湾曲面では面圧増加が軽減される。
尚、外枠２に対して内枠４を閉鎖する場合を説明したが、内枠４に対してガラス扉５を閉鎖する場合も同様である。
【００４３】
又、略傾斜状の当接摺動面52は中途部を境にして、傾斜面の当接前半部52a と湾曲面の当接後半部52b と成した（図９（ｃ）、（ｄ）参照）が、図１０（ａ）に示す様に、中途部を境にして当接前半部52a の傾斜角度θ１より当接後半部52b の傾斜角度θ２（湾曲面の傾斜角度は円弧の弦が基準線で、傾斜した一点、二点鎖線で図示）を小さくすれば、当接前半部52a と当接後半部52b の面形状（傾斜面と湾曲面）は変更可能である。
尚、傾斜角度θ１、θ２の大小は、水平移動量と上下動量の比率から定義され、水平移動量に対する上下動量の比率が低い方の傾斜角度θ２を小としており、図形上では、上下部外枠作動杆31a 、31b の上下方向側縁の直交線（水平の一点、二点鎖線）に対する傾斜角度θ２である。
面形状変更の具体例としては、当接前半部52a と当接後半部52b の両面を、図１０（ｂ）に示す様に傾斜角度相違の２面の傾斜面と成したり、同（ｃ）に示す様に円弧径または中心相違の２面の湾曲面と成したり、同（ｄ）に示す様に当接前半部52a を湾曲面、当接後半部52b を傾斜面と成しても良い。
【００４４】
当接前半部52a より当接後半部52b の傾斜角度θ２を小さくした構成による作用としては、傾斜角度θ２を小さくすると、水平移動量に対する下動量の比率が低下すると共に、弾発力の増加比率も低下する。
よって、当接前半部52a と当接後半部52b を比較すると、上下部外枠作動杆31a 、31b の同一の水平移動量に比してスプリング73、74による弾発力の増加比率は当接後半部52b の方が低下し、当接摺動面52の中途部を境にして、傾斜角度θ２が小さい当接後半部52b では面圧増加が軽減される。
又、２種の面形状の傾斜面と湾曲面の比較では、傾斜面では水平移動量と弾発力の増加比率の関係は一定であることに対して、湾曲面では弾発力の増加比率が徐々に低下するため、傾斜面と湾曲面の具体的選択は、スプリングのばね特性（荷重とたわみの関係）その他の条件を考慮して決定する。
【００４５】
尚、外枠２に対して内枠４を、シリンダー錠14以外で開錠（不正開錠）、開放しようとした場合、外枠作動杆31は上下部外枠作動杆31a 、31b に分離されているため、一方を下降移動させることは可能であるとしても両方同時に操作することは極めて困難である。
又、外枠２に対して内枠４を不正開放する対策・手段として、外枠作動杆31を上下分離したものを説明したが、内枠４に対してガラス扉５を不正開放する対策・手段としてガラス扉作動杆32を上下分離しても良く、逆に、上下分離した上下部外枠作動杆31a 、31b を連結体（一枚板）としても良い。
ガラス扉作動杆32を上下分離したり、上下部外枠作動杆31a 、31b を連結体とする場合を含めて、駆動杆30の上下移動で上下部外枠作動杆31、31a およびガラス扉作動杆32を開錠方向に別々に移動させる連係手段である係止孔44、53、63、66と係止片56、58、59、60の設定数は、必要最小限を確保して適宜変更可能である。
【００４６】
尚、支持体11の側板17、17a の側縁に設けた係止鉤20、20a 、25、25a は、一方を９０度折曲したもの、他方を側板17、17a から延設状（同一面状）に設けたものを説明したが、両者共に延設状としたり、９０度折曲したものとしても良い。
又、シリンダー錠14の操作で駆動杆30を上下動させる連動部材として、シリンダー錠14の錠軸34に駆動板35を設けた例を示したが、カム板以外の各種方式が可能であり、例えば、ラック・ピニオンとしたり、クランクとしても良く、シリンダー錠14の操作で駆動杆30を上下動できれば、連動部材の具体的構成は問わない。
【図面の簡単な説明】
【００４７】
【図１】外枠、内枠およびガラス扉の開放状態における斜視図、および、閉鎖状態の要部平面図である。
【図２】取付状態を示す部分拡大断面図である。
【図３】施錠装置の側面図である。
【図４】施錠装置の背面図である。
【図５】施錠装置の拡大底面図である。
【図６】施錠装置の構成部材を示す斜視図である。
【図７】３枚板を示す斜視図である。
【図８】支持体の背面図および側面図である。
【図９】係止鉤、外枠鉤およびガラス扉鉤を示す部分拡大図である。
【図１０】当接摺動面の面形状を示す図である。
【符号の説明】
【００４８】
２          外枠
2a、2b      係止片
４          内枠
５          ガラス扉
5a、5b…    係止片
10          施錠装置
11          支持体
14          シリンダー錠
17、17a     側板
18          連結板
19          係止溝
20、20a     係止鉤
21          取付板
23、23a     固定孔
24          係止溝
25、25a     係止鉤
30          駆動杆
31          外枠作動杆
31a 、31b   上下部外枠作動杆
32          ガラス扉作動杆
35          駆動板
45、45a     スプリング座
46、46a     受入孔
48、48a     外枠鉤
50          係合溝
51          係合突起
52          当接摺動面
52a         当接前半部
52b         当接後半部
57          挿通孔
64          スプリング座
65          受入孔
67          スプリング座
68          受入孔
69、69a …  ガラス扉鉤
73          スプリング
74          スプリング
80、80a …  膨出部
θ１、θ２  傾斜角度
【図１】
2007301124.tif 000003
【図２】
2007301124.tif 000004
【図３】
2007301124.tif 000005
【図４】
2007301124.tif 000006
【図５】
2007301124.tif 000007
【図６】
2007301124.tif 000008
【図７】
2007301124.tif 000009
【図８】
2007301124.tif 000010
【図９】
2007301124.tif 000011
【図１０】
2007301124.tif 000012